(57)【要約】【課題】音声信号のように、無音状態の良否判別が難かしい本線信号を伝送する音声ＳＴＬ装置において、前段装置の異常の有無を後段の放送所で確認可能なデジタル伝送装置を提供する。【解決手段】本社送信装置と中継所送受信装置と放送所受信装置を備え、本線信号に機器異常情報を多重した信号を中継伝送するデジタル無線伝送装置において、前記本社送信装置、前記中継所送受信装置、及び前記放送所受信装置を構成する機器それぞれが、入力された信号に、自機器のアラーム情報を１伝送バイトとして追加して多重して出力する。【選択図】図６
2011097503.tif 000002
【特許請求の範囲】
【請求項１】
本社送信装置と中継所送受信装置と放送所受信装置を備え、本線信号に機器異常情報を多重した信号を中継伝送するデジタル無線伝送装置において、前記本社送信装置、前記中継所送受信装置、及び前記放送所受信装置を構成する機器それぞれが、入力された信号に、自機器のアラーム情報を１伝送バイトとして追加して多重して出力することを特徴とするデジタル無線伝送装置。
【発明の詳細な説明】
【技術分野】
【０００１】
本発明は、主信号と装置異常を多重伝送するデジタル無線伝送装置に係り、特に、音声信号を伝送した場合の無音状態が、番組内容による無音状態であるか、回線断などの障害で起きた無音状態であるかを判別し難い本線信号を伝送するデジタル無線伝送装置に関するものである。
【背景技術】
【０００２】
近年、地上波放送のデジタル化に伴い、ラジオ放送局で用いられる音声ＳＴＬ（ Studio to Transmitter Link ）装置にデジタル無線伝送装置が用いられるようになっている。
ところで、放送局によっては、デジタル音声ＳＴＬ装置の標準仕様に、音声の他に接点などの付属情報を多重して伝送することが規定されている場合もある。この場合には、それらの付属情報の伝送容量の割り当ての中に、さらに、前段装置の異常を示す中継装置異常信号を示す情報の伝送容量の割り当てがある。
これは、音声信号の無音状態が、番組内容によるものか、回線断などの障害で起きているものか、判別し難くい本線信号を伝送する音声ＳＴＬ装置において、前段装置の異常有無を後段の放送所で確認できるように設けたものである。
ただし、この中継装置異常信号についての詳細なビット割り付けなどの規定は、特に無い。このため、その利用方法については、音声ＳＴＬ装置及びデジタル無線伝送装置を製作するメーカ各々が、任意に設定している。
【０００３】
例えば、従来の利用方法の一例を、図１と図２を用いて説明する。
図１は、音声ＳＴＬ装置の構成の一例を示すブロック図で、本社〜中継所間、及び、中継所〜放送所間の無線回線を伝送する２段中継の音声ＳＴＬ装置の構成例である。また、図２は、多重データ、付属情報、及び中継装置異常情報（中継装置異常信号）のビット割り付けの一例を示す図である。１１０は本社送信装置、１３０は中継所送受信装置、１５０は放送所受信装置、１６０は放送所の外部機器、１７０は放送用アンテナである。本社送信装置１１０において、１１１は多重器、１１２は変調器、１１３は送信高周波部、１１４は送信アンテナ、１１５は送信監視板である。また中継所送受信装置１３０において、１３１は受信アンテナ、１３２は受信高周波部、１３３は復調器、１３４は変調器、１３５は送信高周波部、１３６は送信アンテナである。また、放送所受信装置１５０において、１５１は受信アンテナ、１５２は受信高周波部、１５３は復調器、１５４は分離器、１５５は受信監視板である。
また例えば、放送所の外部機器１６０は、リモコン装置である。
【０００４】
図１において、本社送信装置１１０は、多重器１１１、変調器１１２、送信高周波部１１３、送信アンテナ１１４、及び送信監視板１１５で構成される。
多重器１１１は、音声信号ａｉ、接点のオンオフ情報ｅｉを入力すると共に、送信監視板１１５から中継装置異常信号（総合アラーム情報）ｅ１を入力し、入力されたそれらの情報（ａｉ、ｅｉ、ｅ１）を多重して、多重信号ｓ１として変調器１１２に出力する。なお、送信監視板１１５は、多重器１１１、変調器１１２、及び送信高周波部１１３から出力されるアラーム情報を監視しており、いずれかからアラーム情報が入力された場合には、多重器１１１に該当する中継装置異常信号を出力する。
変調器１１２は、入力された多重信号ｓ１に対して、誤り訂正符号化、デジタル変調、Ｄ／Ａ（ Digital to Analog ）変換、及びアップコンバートの各処理を行い、１３０ＭＨｚ帯のＩＦ（ Intermediate Frequency ）信号ｓ２として送信高周波部１１３に出力する。
送信高周波部１１３は、入力されたＩＦ信号ｓ２に対して、電力増幅、ＳＨＦ（ Super High Frequency ）帯へアップコンバートし、送信アンテナ１１４を介し、送信アンテナ１１４から無線電波信号ｒ１として送信する。
【０００５】
送信監視板１１５は、多重器１１１、変調器１１２、及び送信高周波部１１３からのアラーム信号ｗ１、ｗ２、及びｗ３を入力し、入力された各機器のアラーム信号情報ｗ１、ｗ２、及びｗ３の情報を集約して、内蔵若しくは外付けの表示部（図示しない）に表示すると共に、本社送信装置１１０の総合異常情報を中継装置異常信号（総合アラーム情報）ｅ１として多重器１１１に出力する。例えば、送信監視板１１５は、表示パネルの該当するＬＥＤ（ Light Emitting Diode ）若しくはＬＥＤ等の発光素子を用いた点灯部を点灯（発光）させる。
【０００６】
中継所送受信装置１３０は、受信アンテナ１３１、受信高周波部１３２、復調器１３３、変調器１３４、送信高周波部１３５、及び送信アンテナ１３６で構成される。
受信高周波部１３２は、無線電波信号ｒ１を受信アンテナ１３１を介して受信し、受信されたＳＨＦ帯の信号ｒ１に対して、ダウンコンバート、及びＡＧＣ（ Automatic Gain Control ）処理し、１３０ＭＨｚ帯ＩＦ信号ｓ５を復調器１３３に出力する。
復調器１３３は、入力されたＩＦ信号ｓ５に対して、ダウンコンバート、Ａ／Ｄ変換、デジタル復調、及び誤り訂正処理を行い、復調した多重信号ｓ６を変調器１３４に出力する。
変調器１３４は、入力された多重信号ｓ６に対して、誤り訂正符号化、デジタル変調、Ｄ／Ａ変換、及びアップコンバートを行い、１３０ＭＨｚ帯のＩＦ信号ｓ７として送信高周波部１３５に出力する。
送信高周波部１３５は、入力されたＩＦ信号ｓ７に対して、電力増幅、及びＳＨＦ帯へアップコンバートし、無線電波信号ｒ２として送信する。
【０００７】
放送所受信装置１５０は、受信アンテナ１５１、受信高周波部１５２、復調器１５３、分離器１５４、受信監視板１５５で構成される。
受信高周波部１５２は、無線電波信号ｒ２を受信アンテナ１５１を介して受信し、受信されたＳＨＦ帯の信号ｒ２に対して、ダウンコンバート、及びＡＧＣ処理し、１３０ＭＨｚ帯ＩＦ信号ｓ１０を復調器１５３に出力する。
復調器１５３は、入力されたＩＦ信号ｓ１０に対して、ダウンコンバート、Ａ／Ｄ変換、デジタル復調、及び誤り訂正処理を行い、復号された多重信号ｓ１１を分離器１５４に出力する。
分離器１５４は、入力された多重信号ｓ１１を音声信号ａｏ、接点のオンオフ情報ｅｏに分離処理して各々を外部機器１６０に出力すると共に、中継装置異常信号（総合アラーム情報）ｅ２を受信監視板１５５に出力する。なお、受信監視板１５５は、受信高周波部１５２、復調器１５３、及び分離器１５４から出力されるアラーム情報を監視しており、いずれかからアラーム情報が入力された場合には、表示パネルの該当するＬＥＤ若しくはＬＥＤ等の発光素子を用いた点灯部を点灯（発光）させる。
外部機器１６０は、例えば、入力された音声信号ａｏ’を放送用アンテナ１７０を介して放送し、エラー情報ｅｏ’を出力する。
受信監視板１５５は、受信高周波部１５２、復調器１５３、及び分離器１５４からのアラーム信号ｗ４、ｗ５、及びｗ６を入力し、入力された各機器のアラーム信号ｗ４、ｗ５、及びｗ６の情報を集約して、ＬＥＤ若しくはＬＥＤを用いた点灯部等を点灯（発光）させて表示すると共に、放送所受信装置１５０の総合異常情報（総合アラーム情報）を、分離器１５４からの中継装置異常信号ｅｏとして入力し、前段装置の異常として表示パネルに表示する。
【０００８】
図２によって、多重データ、付属情報、及び、中継装置異常情報（中継装置異常信号）のビット割り付けの一例を説明する。
図２は、従来の多重データ、付属情報、及び、中継装置異常情報のビット割り付けの一例を示す図である。図２（ａ）は、“多重データ”のデータ領域構成の内訳で、横軸は１フレームに割り付けられたデータ領域長（ｂｉｔ数）である。図２（ｂ）は、“付属情報”のデータ領域構成の内訳で、横軸は付属情報に割り付けられたデータ領域長（ｂｉｔ数）である。図２（ｃ）は、“中継装置異常情報”のデータ領域構成の内訳で、横軸は中継装置異常情報に割り付けられたデータ領域長（ｂｉｔ数）である。
図２（ａ）に示すように、多重信号のビットレートは５３１ｋｂｐｓで、２ｍｓ周期のフレーム構成をとっており、１フレーム１０６２ビットの内、“音声１”のデータ領域長と“音声２”のデータ領域長が各３８４ビット、“付属情報”のデータ領域長が２９４ビットである。
また図２（ｂ）に示すように、“付属情報”のデータ領域２９４ビットの構成の内訳は、“接点等の情報（接点のオンオフ情報ｅｉ）”のデータ領域長が２６２ビット、“中継装置異常情報”のデータ領域長が３２ビットである。
さらに、図２（ｃ）に示すように、“中継装置異常情報”のデータ領域３２ビットの構成の内訳は、“本社送信装置総合アラーム”のデータ領域が１ビットで、“他情報”データ領域３１ビットが未使用である。
放送所側では、以上の構成から必要な情報を抽出することにより、中継装置異常信号を利用して、本社側の異常の有無を知ることができる。
【先行技術文献】
【特許文献】
【０００９】
【特許文献１】特開２００７−２５１７０５号公報
【発明の概要】
【発明が解決しようとする課題】
【００１０】
上述の図１及び図２によって説明した従来技術では、本社側の異常の有無は検知できる。しかし、中継所送受信装置１３０において異常が発生した場合には、放送所側では検知することができない。
これを検知可能とする技術としては、図３のように、中継装置異常信号を使用せず、本社にリモコン装置３１６、中継所に中継監視板３３７、放送所にリモコン装置３５６を設け、各々をＩＰ（ Internet Protocol ）回線３００などの通信網で接続することによって、中継所での異常有無も含め、音声ＳＴＬ装置全体のアラームを放送所受信装置３５０に表示するような構成とすることが一般的に用いられている。図３は、図１の例にリモコン装置３１６及び３５６、並びに中継監視板３３７を設け、ＩＰ回線３００で接続して放送所受信装置３５０に情報を集約できるようにしたものである。図３において、３００はＩＰ回線、３１０は本社送信装置、３３０は中継所送受信装置、３５０は放送所受信装置、３１６はリモコン装置、３３７は中継監視板、３５６はリモコン装置、ｅ３１、ｅ３１’、ｅ３３、ｅ３５、及びｅ３５’はＩＰ回線３００に伝送される情報や制御信号である。
しかし、中継所は山間部等に設置される場合が多く、電話やＩＰ等の回線網が整備されていない地域が多い。回線網が新設できない場合には、放送所から中継所、及び、中継所から本社の方向に伝送する連絡及び制御のための回線を併設してアラーム情報を収集することになる。従って、リモコン装置、中継監視板、並びに、連絡及び制御回線の設置や回線運用にかかるコストが発生し大きな負担となる。
【００１１】
また、これらの回線網を使用せずに各中継点の状況を後段装置側で検知する類似技術が、特許文献１等に記載されている。しかし、特許文献１では、ＦＰＵ（ Field Pickup Unit ）のような移動回線で使用される装置における、受信品質（コンスタレーション、遅延プロファイル等）のモニタリングに関するものであり、また、それらの情報伝送に映像ＴＳ（ Transport Stream ）信号のヌルパケットや、ＯＦＤＭ変調波のＴＭＣＣキャリアを利用したものである。
よって、音声ＳＴＬのような固定回線での伝送装置の場合、受信品質モニターよりも各機器の異常情報の伝達機能が必要であり、また、映像信号伝送装置特有のヌルパケットやＴＭＣＣ（ Transmission and Multiplexing Configuration Control ）キャリア等を利用した手段をそのまま適用することができない。
【００１２】
本発明の目的は、上記の問題に鑑み、音声信号のように、無音状態の良否判別が難かしい本線信号を伝送する音声ＳＴＬ装置において、前段装置の異常の有無を後段の放送所で確認可能なデジタル伝送装置を提供することである。
【課題を解決するための手段】
【００１３】
上記の課題を解決するために、本発明は、多重信号を入出力する多重器、変調器、復調器について、それぞれ、各機器の種別及び複数のアラーム情報を、ＳＴＸ（ Start Of Text ）とＥＴＸ（ End Of Text ）と呼ばれる伝送データ中の１伝文の始まりと終わりを示すために一般的に用いられるキャラクタで囲い、それを中継装置異常信号として伝送するものである。
好ましくは、変調器及び復調器では、入力された中継装置異常信号中の前段装置の機器種別及びアラーム情報に加えて、自機器の機器種別及びアラーム情報を挿入し、次段装置へ送信する。
また好ましくは、最終段の分離器では、入力された中継装置異常信号を調歩同期のシリアルデータに変換し、その結果を中継装置異常信号として受信監視板に出力する。
【００１４】
即ち、本発明は、本社送信装置と中継所送受信装置と放送所受信装置を備え、本線信号に機器異常情報を多重した信号を中継伝送するデジタル無線伝送装置において、前記本社送信装置、前記中継所送受信装置、及び前記放送所受信装置を構成する機器それぞれが、入力された信号に、自機器のアラーム情報を１伝送バイトとして追加して多重して出力するデジタル無線伝送装置である。
好ましくは、上記デジタル無線伝送装置は、前記伝送バイトは所定のデータ領域長を有し、１フレーム内に所定数の伝送バイトを多重されるものである。
また好ましくは、上記デジタル無線伝送装置の前記伝送バイトは、フレーム内の付属情報のデータ領域に多重されるものである。
また好ましくは、上記デジタル無線伝送装置は、前記デジタル無線装置全ての機器のアラーム情報の伝送バイトを１伝文として、前記１伝文の始まりを示す伝送バイトと終わりを示す伝送バイトを有し、前記始まりを示す伝送バイトと前記終わりを示す伝送バイトの間に、前記各機器のアラーム情報の伝送バイトを挿入するものである。
【００１５】
さらに好ましくは、本発明は、本社送信装置と中継所送受信装置と放送所受信装置を備え、本線信号に機器異常情報を多重した信号を中継伝送する音声ＳＴＬ装置である。
また好ましくは、上記音声ＳＴＬ装置の前記本線信号は、音声信号及び接点情報である。
【発明の効果】
【００１６】
以上説明したように本発明によれば、多重器、変調器、及び復調器にて、中継装置異常信号として、ＳＴＸとＥＴＸ等の１伝文の始まりと終わりを示すためのキャラクタで囲まれた前段装置のアラーム情報の後のデータ領域に、自機装置のアラーム情報を挿入し、自機装置のアラーム情報が挿入されたアラーム情報を次段装置に伝送することによって、音声信号のような無音状態の良否判別がし難い本線信号を伝送する音声ＳＴＬにおいて、前段装置の異常有無を後段の放送所で確認可能なデジタル伝送装置を提供することができる。
【図面の簡単な説明】
【００１７】
【図１】従来の音声ＳＴＬ装置の構成の一例を示すブロック図である。
【図２】従来の多重データ、付属情報、及び、中継装置異常情報のビット割り付けの一例を示す図である。
【図３】従来の音声ＳＴＬ装置の構成の一例を示すブロック図である。
【図４】本発明の多重データ、付属情報、及び、中継装置異常情報のビット割り付けの一実施例を示す図である。
【図５】本発明の“中継装置異常情報”のデータ構成の一実施例を示す図である。
【図６】本発明の本社送信装置、中継所送受信装置、及び放送所受信装置におけるアラーム情報の挿入処理の一実施例について説明するための図である。
【図７】本発明のデジタル無線伝送装置において、本社送信装置の多重器で監視、表示、接点出力される監視項目の一実施例を示す図である。
【図８】本発明のデジタル無線伝送装置において、本社送信装置の変調器及び中継送受信装置の変調器で監視、表示、接点出力される監視項目の一実施例を示す図である。
【図９】本発明のデジタル無線伝送装置において、中継所送受信装置の復調器及び放送所受信装置の復調器で監視、表示、接点出力される監視項目の一実施例を示す図である。
【図１０】本発明のデジタル無線伝送装置において、本社送信装置の送信高周波部及び中継所送受信装置の送信高周波部で監視、表示、接点出力される監視項目の一実施例を示す図である。
【図１１】本発明のデジタル無線伝送装置において、放送所受信装置の分離器で監視、表示、接点出力される監視項目の一実施例を示す図である。
【図１２】本発明のデジタル無線伝送装置の変調器の一実施例の構成を示すブロック図である。また、
【図１３】図１２の変調器の自機アラーム挿入部の構成を説明するためのブロック図である。
【図１４】本発明のデジタル無線伝送装置における伝送データのフレーム構成の一実施例を示す図である。
【図１５】本発明のデジタル無線伝送装置における受信監視板の一実施例を説明するための図である。
【発明を実施するための形態】
【００１８】
本発明は、各機器において、入力された多重信号に、自機のアラーム情報を追加する手段と、１伝文の始まりを示す伝送バイトと終わりを示す伝送バイト間に挿入する。各伝送バイトは、例えば、８ビットで構成され、例えば、４伝送バイトを１つのフレームに挿入するデジタル無線伝送装置である。
また、好ましくは、本発明は、本線信号（音声信号等）の他に、装置異常を多重した信号（以下、多重信号と称す）を多段中継伝送するデジタル無線伝送装置において、中継所での異常有無を後段の受信点で確認する手段として、中継装置にて入出力する多重信号に、中継装置の異常情報を多重して伝送するデジタル無線伝送装置である。
また好ましくは、デジタル伝送装置が、デジタル音声ＳＴＬ装置の場合において、多重信号に割り当てられた、前段装置の異常有無を示す情報（以下、中継装置異常信号と称す）を利用して、中継所での異常有無を後段の放送所で確認可能とする手段として、多重信号内の中継装置異常信号に、中継所の復調器及び変調器の異常情報を多重して伝送することを特徴とするデジタル音声ＳＴＬ装置である。
【００１９】
更に好ましくは、本発明のデジタル無線伝送装置若しくは音声ＳＴＬ装置は、入力された本線信号に本社送信装置の異常信号を多重して出力する多重器、該多重された信号を変調し第１のＩＦ信号に変換して出力する第１の変調器、該変調された第１のＩＦ信号をアップコンバートして第１の無線信号に変換して第１の送信アンテナを介して送信する第１の送信高周波部、並びに、前記多重器、前記第１の変調器及び前記第１の送信高周波部からのアラーム情報を監視し、少なくとも１つのアラーム情報が入力された場合に該当する点灯部を発光させる送信監視板を具備した前記本社送信装置と、前記本社送信装置若しくは前段の中継所送受信装置から送信された前記第１の無線信号を第１の受信アンテナを介して入力しダウンコンバートして第２のＩＦ信号に変換して出力する第１の受信高周波部、該第２のＩＦ信号をダウンコンバートして復調する第１の復調器、該復調された信号をアップコンバートして変調する第２の変調器、並びに、該変調された信号を第２の無線信号に変換して第２の送信アンテナを介して出力する第２の送信高周波部を具備した前記中継所送受信装置と、前記中継所送受信装置から送信された前記第２の無線信号を第２の受信アンテナを介して入力しダウンコンバートして第３のＩＦ信号に変換して出力する第２の受信高周波部、該第３のＩＦ信号を復調する第２の復調器、該復調された第３のＩＦ信号から音声信号等の信号と中継装置異常信号とを分離する分離機、並びに、前記分離された中継装置異常信号に基づいて、自装置及び前段の装置の異常情報を表示する放送所受信装置と、から成り、前記本社送信装置、前記中継所送受信装置、及び前記放送所受信装置のを構成するそれぞれの機器は、入力された信号に、自機器のアラーム情報を多重して出力する。
【００２０】
以下、添付図面を参照しながら本発明の実施形態を詳細に説明する。なお、各図の説明において、従来の技術を説明した図１〜図３を含め、同一の機能を有する構成要素には同一の参照番号を付し、重複を避けるため、できるだけ説明を省略する。
本発明の実施例を図４〜図６を用いて説明する。ＳＴＬ装置全体の構成は、図１と同じであるので、全体の動作の説明は省略する。
【００２１】
図４は、本発明の多重データの構成の内訳と、中継装置異常情報（中継装置異常信号）のビット割り付けの一実施例を示す図である。図４（ａ）多重信号の構成の内訳、及び、図４（ｂ）付属情報の構成の内訳は、図２（ａ）、図２（ｂ）と同じである。
しかし、本発明の一実施例の中継装置異常情報のデータ構成の内訳を示す図４（ｃ）は、中継装置異常内訳３２ビット分を、４つの伝送バイト（伝送バイト番号１〜４）バイト単位に区切り、図５に示す可変長の伝文を伝送する（データ領域の長さ（ｂｉｔ数））。このように、１バイト単位当たり、８ビットとし、４つのバイトを合計して３２ビットで構成する。
多重データは、例えば、ベースバンドシリアルデータである。
【００２２】
図５は、本発明の“中継装置異常情報（伝送バイト）”のデータ構成の一実施例を示す図である。図５（ａ）は、伝送バイトの１伝文の構成が、“ＳＴＸ”で始まり“ＥＴＸ”で終わる１伝文のデータ構成の一実施例を示す図である。また、図５（ｂ）は、図５（ａ）の１伝文のデータ構成中の伝送バイトのデータ構成（ビット内訳）を説明するための図である。
【００２３】
図５の実施例では、中継装置異常情報の伝送バイトの１伝文は、最初の伝送バイトが“ＳＴＸ”、最後の伝送バイトが“ＥＴＸ”のキャラクターで囲まれた複数の装置の伝送バイトで構成される。図４で説明したように、１フレーム内の付属情報に多重可能な伝送バイト数は４である。このため、中継装置異常情報の１伝文は、１フレームに収まらないことが多い。そこで、図５のように、伝文の最初を示す伝送バイト（例えば、“ＳＴＸ”のキャラクター）と最後を示す伝送バイト（例えば、“ＥＴＸのキャラクター”）で、区切ることで、中継装置異常情報（中継装置異常信号）のデータ構成のは始まりと終わりが分かるようにしている。即ち、中継装置異常情報（中継装置異常信号）のデータをＳＴＸとＥＴＸとの間に多重して伝送する。
図１４によって、１つの電文が複数のフレームに分割されていることを、さらに説明する。本発明のデジタル無線伝送装置における伝送データのフレーム構成の一実施例を示す図である。
【００２４】
図１４は、図６（ｅ）の放送所受信装置１５０の分離器１５３の出力データの一例を用いている。図４で説明したように、伝送されるデータの１フレーム（１０６２ビット）は、音声１データ（３８４ビット）、音声２データ（３８４ビット）、及び付属情報（２９４ビット）で構成される。その付属情報の末尾３２ビット内に４つの伝送バイト（８ビット）が多重される。
図１４に示すように、図６（ｅ）の中継装置異常情報のデータ“ＳＴＸ”、“ｗ１”、“ｗ２”、“ｗ８”、“ｗ９”、“ｗ５”、“ＥＴＸ”の１つの伝文は、１フレーム目の付属情報中に、“ＳＴＸ”、“ｗ１”、“ｗ２”、“ｗ８”の４つの伝送バイト（合計３２ビット）として多重され、次の２フレーム目の付属情報中には、“ｗ９”、“ｗ５”、及び伝文の最後を示す伝送バイトである“ＥＴＸ”まで多重される。そして、次の第２の伝文の始まりを示す伝送バイト“ＳＴＸ”も２フレーム目の付属情報中に続いて多重されている。
さらに、３フレーム目の付属情報中には、２フレーム目の第２の伝文の続きである“ｗ１”、“ｗ２”、“ｗ８”、“ｗ９”の４つの伝送バイトが多重され、４フレーム目の付属情報中には、３フレーム目の第２の伝文の続きである“ｗ５”、“ＥＸＴ”が多重される。そして、次の第３の伝文の始まりを示す伝送バイト“ＳＴＸ”も３フレーム目の付属情報中に続いて多重されて、続いて“ｗ１”、の伝送バイトが多重される。
以上のように、
【００２５】
図５の実施例は、各装置毎に、１伝送バイト分のデータ領域を割り当てたものである。５０１はＳＴＸデータの伝送バイト、５０２はＥＸＴデータの伝送バイト、５０３−１〜５０３−ｍは中継装置異常情報である（ｍは自然数）。
配列の順番は、まず最初に、ＳＴＸデータ５０２、次に、本社送信装置１１０の多重器１１１のアラーム情報ｗ１、次に本社送信装置１１０の変調器１１２のアラーム情報ｗ２、・・・、放送所受信装置１５０の復調器１５３のアラーム情報ｗ５、最後にＥＸＴデータ５０２である。
即ち、図５（ａ）に示すように、ＳＴＸデータの伝送バイト５０１とＥＸＴデータの伝送バイト５０２の間に、各送信装置若しくは送受信装置全体の伝送バイト、次にその送信装置若しくは送受信装置内の各機器（多重器、変調器、復調器、等）の伝送バイト５０３−１〜５０３−ｍが、本社送信装置１１０の多重器１１１、変調器１１２、中継所送受信装置１３０の復調器１３３、変調器１３４、及び、放送所受信装置１５０の復調器１５３と、前段の装置から後段の装置の順番に挿入される。
【００２６】
図５（ｂ）に示すように、１伝送バイトにおいて、ＳＴＸデータとＥＸＴデータを除く、伝送バイト毎のアラーム情報のビット内訳は、上位２ビットが機種（装置）情報、下位６ビットをそれぞれの装置の６項目の各種アラーム情報に割り当てている。即ち、上位２ビットが“０、１”の場合は本社送信装置１１０の多重器１１１のアラーム情報であり、上位２ビットが“１、０”の場合は変調器のアラーム情報であり、上位２ビットが“１、１”の場合は復調器のアラーム情報である。
下位６ビットは、下位ビットから、アラームデータ１〜アラームデータ６の情報が割り当てられる。
上述のように、機種（装置）情報は、その伝送バイトで示されたアラーム情報が、多重器、変調器、若しくは復調器のいずれかを判別するのに用いる。
なお、機種情報の伝送バイトのデータ（アラーム情報）が、“ＳＴＸ”データ及び“ＥＴＸ”データと同じ符号にならないように、機種情報のビット番号７、６が両方とも“０”である組み合わせは使用しない。換言すれば、“ＳＴＸ”データ及び“ＥＴＸ”データのビット番号７、６は、どちらも“０、０”である。従って、各装置毎の伝送バイトのデータ（アラーム情報）と、“ＳＴＸ”データ及び“ＥＴＸ”データをビット番号７、６によって識別することができる。
【００２７】
即ち、図５の実施例は、図１に示した音声ＳＴＬ装置のブロック構成図を一例とすると、ＳＴＸデータの伝送バイト５０１の直後の伝送バイトは、本社送信装置１１０の多重器１１１のアラーム情報（ｗ１）５０３−１、次に、本社送信装置１１０の変調器１１２のアラームデータ（ｗ２）５０３−２、その次に、中継所送受信装置１３０の復調器１３３のアラームデータ（ｗ８）５０３−３が続き、その後、中継送受信装置１３０の変調器１３４のアラームデータ（ｗ９）５０３−４、その次に、放送所受信装置１５０の復調器１５３のアラームデータ（ｗ５）５０３−６が挿入され、最後にＥＸＴデータの伝送バイト５０２が配置される。
【００２８】
次に、図６を用いて、入力された中継装置異常の１伝文のデータ内に、多重器、変調器、復調器、等、各機器のアラームを多重する手順を更に詳細に説明する。図６は、本発明の本社送信装置、中継所送受信装置、及び放送所受信装置におけるアラーム情報の挿入処理の一実施例について説明するための図である。最上段の１、２、３，４、・・・は、伝送バイト番号を表し、図６（ａ）〜図６（ｆ）について、縦方向は同じ番号の伝送バイトである。また、上方から下方、即ち、図６（ａ）から図（ｂ）・・・図（ｅ）に、時間が経過していく。
図６（ａ）は、本社送信装置１１０の多重器１１１が出力する多重信号ｓ１の伝送バイトの伝文構成を示す図である。図６（ｂ）は、本社送信装置の変調器１１２が出力する変調信号ｓ２の伝送バイトの伝文構成を示す図である。図６（ｃ）は、中継所送受信装置の復調器１３３が出力する復調信号ｓ６の伝送バイトの伝文構成を示す図である。図６（ｄ）は、中継所送受信装置の変調器１３４が出力する変調信号ｓ７の伝送バイトの伝文構成を示す図である。図６（ｅ）は、放送所受信装置の復調器１５３が出力する復調信号ｓ１１の伝送バイトの伝文構成を示す図である。図６（ｆ）は、放送所受信装置の分離器１５４が、入力された伝文バイトの区切りを説明するための伝送バイトの構成を示す図である。
【００２９】
図６において、伝送バイト番号１〜４の前には、図４で説明したように、多重データの構成として、１フレームの内、“音声１”のデータ領域、“音声２”のデータ領域、及び“付属情報”のデータ領域がある。しかし、図６では、簡略化のため省略し、“付属情報”のデータ領域中の“中継装置異常情報”についてのみ図示している。
また、図５でも説明したように、伝送する同一のフレーム内には、伝送バイト番号１〜４のデータが多重され、１つの伝文は、“ＳＴＸ”データと“ＥＴＸ”データ間に挿入される。
【００３０】
図６（ａ）において、本社送信装置１１０の多重器１１１では、従来技術と同様に、本社送信装置１１０の総合アラーム１ビットに、多重器１１１の各種アラーム情報を５ビット、機種情報２ビットを組み合わせた１バイトをとして、ＳＴＸとＥＴＸとの間に多重して伝送する。
以降の変調器、復調器では、入出力する多重信号の中継装置異常の伝文のＳＴＸ〜ＥＴＸの区切りを調べ、その時点で入力した最新の中継装置異常伝文のＥＴＸ直前に自機の装置アラーム情報を挿入する。
【００３１】
即ち、図６（ｂ）の本社送信装置１１０の変調器１１２では、伝送バイトｗ１の後に、変調器１１２の各種アラーム情報を５ビット、機種情報２ビットを組み合わせた１バイトをとして、伝送バイトｗ２を挿入する。即ち、本社送信装置１１０の変調器１１２の場合は、“ＳＴＸ”、“多重器１１１のアラーム情報ｗ１”、“ＥＴＸ”の伝送バイトを伝文に、変調器１１２のアラーム情報を挿入し、“ＳＴＸ”、“多重器１１１のアラーム情報ｗ１”、“変調器１１２のアラーム情報ｗ２”、“ＥＴＸ”の伝文を１伝文として、その中継装置異常を含む多重データを変調処理したＩＦ信号を出力する。
【００３２】
次に、図６（ｃ）の中継所送受信装置１３０の復調器１３３では、伝送バイトｗ２の後に、復調器１３３の各種アラーム情報を５ビット、機種情報２ビットを組み合わせた１バイトをとして、伝送バイトｗ８を挿入する。即ち、中継所送受信装置１３０の復調器１３４の場合には、復調処理して得られた多重データ内中継装置異常のＳＴＸ→本社送信装置総合アラーム→本社変調器アラーム→ＥＴＸの伝文に復調器８の装置アラームを挿入し、ＳＴＸ→本社送信装置総合アラーム→本社変調器アラーム→中継所復調器アラーム→ＥＴＸの伝文にして、その中継装置異常を含む多重データを後段の変調器９へ出力する。
ここで、中継所送受信装置１３０の受信高周波部１３２に異常があれば、中継所送受信装置１３０の復調器１３３が正常に復調処理できず、中継装置異常となるため、中継所送受信装置１３０の受信高周波部１５２のアラーム情報を、復調器１５３のアラームに包含させている。
【００３３】
以降、上記と同様に、中継所送受信装置１３０の変調器１３４、放送所受信装置１５０の復調器１５３でも、同様に、ＳＴＸ〜ＥＴＸの区切りを検出し、自機のアラーム情報を多重する。
次に、図６（ｄ）の中継所送受信装置１３０の変調器１３４では、伝送バイトｗ８の後に、変調器１３４の各種アラーム情報を５ビット、機種情報２ビットを組み合わせた１バイトをとして、伝送バイトｗ９を挿入する。
【００３４】
次に、図６（ｅ）の放送所受信装置１５０の復調器１５３では、伝送バイトｗ９の後に、復調器１３４の各種アラーム情報を５ビット、機種情報２ビットを組み合わせた１バイトをとして、伝送バイトｗ５を挿入する。
ここで、放送所受信装置１５０の受信高周波部１５２に異常があれば、放送所受信装置１５０の復調器１５３が正常に復調処理できず、中継装置異常となるため、放送所受信装置１５０の受信高周波部１５２のアラーム情報を、復調器１５３のアラームに包含させている。
【００３５】
なお、中継所送受信装置１３０の送信高周波部１３５の異常は、放送所受信装置１５０の受信高周波部１５２、復調器１５３、及び分離器１５４のアラームに包含させる。
このように、アラーム情報の数が少ない場合には、各機器のアラーム情報を、下段のアラーム情報に包含して出力することによって、伝送バイトの数を減らすことが可能である。
【００３６】
図６（ｅ）は、放送所受信装置１５０の分離器１５４が、ＳＴＸ及びＥＴＸを含む全ての伝送バイトを分離するために、それぞれの伝送バイトを注入した後、注入された伝送バイトの前にスタートビット（ＳＴ）を挿入し、注入された伝送バイトの後にストップビット（ＳＴ）を挿入して出力することを示している。
なお、スタートビットは、１ビットであり、データは“０”である。また、ストップビットは、１ビットであり、データは“１”である。
【００３７】
上述したように、放送所受信装置１５０の分離器１５４は、入力された多重データ内の中継装置異常情報で、その時点で最新の伝文に対し、１バイト単位でスタートビット（ＳＴ）、ストップビット（ＳＰ）を付加した調歩同期のフォーマットに変換し、受信監視板１５５に出力する。
その結果、受信監視板１５５は、本社送信装置１１０と中継所送受信装置１３０の各装置のアラーム情報を得ることができる。その故、本発明は、前段装置の異常有無を受信監視板１５５に表示することが可能となる。
【００３８】
次に、図５（ｂ）で説明した各伝送バイト毎のアラーム情報のビット内訳において、下位６ビットのアラーム１〜アラーム６に割り当てられる各機器のアラーム情報について、本発明のデジタル無線伝送装置の一実施例を図７〜図１１によって示す。図７は、本社送信装置１１０の多重器１１１で監視、表示、接点出力される監視項目を示す図、図８は、本社送信装置１１０の変調器１１２及び中継送受信装置１３０の変調器１３４で監視、表示、接点出力される監視項目を示す図、図９は、中継所送受信装置１３０の復調器１３３及び放送所受信装置１５０の復調器１５３で監視、表示、接点出力される監視項目を示す図、図１０は、本社送信装置１１０の送信高周波部１１３及び中継所送受信装置１３０の送信高周波部１３５で監視、表示、接点出力される監視項目を示す図、図１１は、放送所受信装置１５０の分離器１５４で監視、表示、接点出力される監視項目を示す図である。
図７〜図１１において、各機器（１１１〜１１３、１３３、１３４、１５３、及び１５４）は、図に示す監視項目について、それぞれ監視し、所定の条件（内容欄に記載）でアラーム出力として、表示及び接点出力する。
【００３９】
次に、図１２と図１３によって、本発明のデジタル無線伝送装置における
多重信号の中継装置異常信号に自機のアラームを多重する動作の一実施例を説明する。図１２は、本発明のデジタル無線伝送装置の変調器の一実施例の構成を示すブロック図である。２００は変調器、２０１は変調処理部、２０２はスイッチ、２０３は中継装置異常位置検出部、２０４は自機アラーム情報挿入部である。
【００４０】
図１２において、変調器２００（図１参照）は、変調処理部２０１、スイッチ２０２、中継装置異常位置検出部２０３、及び自機アラーム情報挿入部２０４で構成される。
変調器２００に入力された多重信号（例えば、図１の多重信号ｓ１若しくはｓ６）は、スイッチ２０２の入力端子（１）、中継装置異常位置検出部２０３、及び自機アラーム情報挿入部２０４に供給される。ここでは、多重信号ｓ１として説明する。
中継装置異常位置検出部２０３は、入力された多重信号ｓ１中の音声信号ａｉ、接点等情報ｅｉ、及び中継装置異常信号ｅ１の区別を行い、中継装置異常信号ｅ１が多重されている位置を示す表示信号（中継装置異常位置表示信号）ｐをスイッチ２０２の入力切替制御端子と自機アラーム情報挿入部２０４に出力する。
自機アラーム情報挿入部２０４は、中継装置異常位置検出部２０３から入力された中継装置異常位置表示信号ｐに従って、入力された多重信号ｓ１から前段装置のアラーム情報を取り出すと共に、変調器２００内部から入力された各種の自機アラーム情報と、固定値である機器情報、並びにＳＴＸ及びＥＴＸを再多重し、再多重した信号を中継装置異常信号（中継装置異常情報）ｅとして、スイッチ２０１の入力端子（２）に出力する。
【００４１】
スイッチ２０２は、中継装置異常位置検出部２０３から入力切替制御端子に入力された中継装置異常位置表示信号ｐに従って、音声信号ａｉと接点のオンオフ情報ｅｉが入力された時には入力された多重信号ｓ１を出力し、中継装置異常信号ｅが入力された時には、自機アラーム情報挿入部２０４から入力された当該中継装置異常信号ｅを出力するように、スイッチ２０２を切替える。これによって、入力された多重信号ｓ１に、さらに自機アラーム情報を含んだ多重信号ｓ１’が、変調処理部２０１に供給される。
変調処理部２０１は、スイッチ２０２から入力された多重信号ｓ１’について、誤り訂正符号化、デジタル変調、Ｄ／Ａ変換、及び周波数変換（アップコンバート）の各処理を行い、１３０ＭＨｚ帯のＩＦ信号ｓ２として送信高周波部（図１の送信高周波部１１３参照）に出力する。
【００４２】
次に、本発明の一実施例の変調器２００の自機アラーム情報挿入部２０４の構成を図１３によって説明する。図１３は、図１２の変調器の自機アラーム情報挿入部の構成を説明するためのブロック図である。４０１はＳＴＸ発生部、４０２はメモリ、４０３は機種情報発生部、４０４はＥＴＸ発生部、４０５は書込み制御部、４０６は切替制御部である。
図１３において、自機アラーム情報挿入部２０４は、ＳＴＸ発生部４０１、メモリ４０２、機種情報発生部４０３、ＥＴＸ発生部４０４、書込み制御部４０５、読出し制御部４０６、及びスイッチ４０７で構成される。
【００４３】
図１３の自機アラーム情報挿入部２０４において、ＳＴＸ発生部４０１は、所定の固定値Ｃ１を発生させ、スイッチ４０７の入力端子（１）に出力する。同様に、機種情報発生部４０３は、所定の固定値Ｃ２を発生させ、スイッチ４０７の入力端子（３）に出力する。また、同様に、ＥＴＸ発生部４０４は、所定の固定値Ｃ３を発生させ、スイッチ４０７の入力端子（５）に出力する。
また、図１２で説明したように、自機アラーム情報挿入部５には、多重信号ｓ１、自機アラーム情報、中継装置異常位置表示信号ｐが入力される。
多重信号ｓ１は、メモリ４０２と書込み制御部４０５とに出力される。
また、中継装置異常位置表示信号ｐは、書込み制御部４０５と読出し制御部４０６とに出力される。
さらに、自機アラーム情報は、スイッチ４０７の入力端子（４）に出力される。
【００４４】
図１３において、書込み制御部４０５は、中継装置異常位置表示信号ｐによって多重信号ｓ１内の中継装置異常情報ｅを見つけ、さらにその中からＳＴＸ、ＥＴＸを検出することで、前段装置アラーム情報の位置、前段装置の数を把握する。
この前段装置のアラーム情報の位置及び前段装置の数の情報を元に、メモリ４０２に、前段装置アラーム情報を格納するように、書込み制御信号を出力すると共に、前段装置数を読出し制御部４０６に出力する。
メモリ４０２は、入力される多重信号ｓ１の中から、書込み制御信号に基づいて、中継装置異常情報のＳＴＸ、ＥＴＸを除いた前段装置アラーム情報を格納する。また、メモリ４０２は、前段装置アラーム情報が常に最新の情報に更新されるよう上書き保存する。
なお、メモリ４０２の容量は、使用されるシステム、中継所段数（若しくは前段装置の数）で想定される最大の前段装置数分のバイト数を設けておくものとする。
【００４５】
読出し制御部４０６は、入力された前段装置に基づいて、メモリ４０２に格納されている前段装置アラーム情報の数を把握し、メモリ４０２に読出し制御信号を出力し、スイッチ４０７の切替制御端子に切替制御信号を出力する。
即ち、読出し制御部４０６は、読出し制御信号によってメモリ４０２から情報を読出し、切替制御信号によってスイッチ４０７の切替え制御を行う。
これによって、自機アラーム情報挿入部２０４は、中継装置異常情報ｅを、ＳＴＸ、前段装置アラーム情報、機種情報、自機アラーム情報、ＥＴＸ、続いて次の伝文に、繰り返して、ＳＴＸ前段装置アラーム情報、機種情報、自機アラーム情報、ＥＴＸ、・・・の順に、スイッチ４０７の出力端子（６）から出力する。
以上、上記図１２及び図１３の実施例で説明したように、入力された中継装置異常情報に、前段装置アラーム情報に加えて、自機アラーム情報を挿入する処理が可能となる。
【００４６】
次に、図１５によって、本発明のデジタル無線伝送装置における受信監視板の一実施例を説明する。図１５は、本発明のデジタル無線伝送装置における受信監視板の一実施例を説明するための図である。５００は、受信監視板の表示パネル、５０１〜５０５はＬＥＤ、５０６はアンテナの表示、５０７は受信高周波部の表示、５０８は復調器の表示、５０９は変調器の表示、５０７−１と５０７−２は受信高周波部の点灯部、５０８−１と５０８−２は復調器の点灯部、５０９−１と５０９−２は変調器の点灯部である。なお、送信監視板もほぼ同様である。
【００４７】
図１５の本発明の受信監視板５００において、ＬＥＤ５０１〜５０５のそれぞれの右には、当該ＬＥＤの点灯に関連付けられる機器（装置）名（ POWER、本社総合、本社変調器、中継装置復調器、中継装置変調器）が表示される。例えば、ＬＥＤ５０１が点灯している（例えば、赤色）場合には、現在の受信監視板は、電源部に関するアラーム情報を表示していることを意味する。同様に、ＬＥＤ５０４が点灯している場合には、現在の受信監視板は、中継装置の復調器に関するアラーム情報を表示していることを意味する。
また、点灯部５０７−２、５０８−２、及び５０９−２は、それぞれ当該機器が正常動作している（アラームが出力されていない）場合に、安全を表わす色（例えば、緑色）に点灯する。この時、上部の点灯部５０７−２、５０８−２、及び５０９−２は、点灯していない。
受信高周波部若しくはその前段部（前段の送信高周波部から受信高周波部まで）からアラームが出力された場合には、点灯部５０７−１が点灯し、点灯部５０７−２は点灯しない。
復調器からアラームが出力された場合には、点灯部５０８−１が点灯し、点灯部５０８−２は点灯しない。
変調器からアラームが出力された場合には、点灯部５０９−１が点灯し、点灯部５０９−２は点灯しない。
点灯部５０７−１、５０８−１、及び５０９−１は、危険や注意を表す色（例えば、赤色、例えば黄色）に点灯する。
【００４８】
以上説明したように本発明によれば、多重器、変調器、復調器にて、中継装置異常信号としてＳＴＸ、ＥＴＸに囲まれた前段装置アラームに自機の装置アラームを挿入し、次段装置へ出力することによって、音声信号のような無音状態の良否判別がつきにくい本線信号を伝送する音声ＳＴＬにおいて、前段装置の異常有無を後段の放送所で確認できる可能なデジタル伝送装置を提供することができる。
【符号の説明】
【００４９】
１１０：本社送信装置、  １１１：多重器、  １１２：変調器、  １１３：送信高周波部、  １１４：送信アンテナ、  １１５：送信監視板、  １３０：中継所送受信装置、  １３１は受信アンテナ、  １３２：受信高周波部、  １３３：復調器、  １３４：変調器、  １３５：送信高周波部、  １３６：送信アンテナ、  １５０：放送所受信装置、  １５１：受信アンテナ、  １５２：受信高周波部、  １５３：復調器、  １５４：分離器、  １５５：受信監視板、  １６０：放送所の外部機器、  １７０：放送用アンテナ、  ２００：変調器、  ２０１：変調処理部、  ２０２：スイッチ、  ２０３：中継装置異常位置検出部、  ２０４：自機アラーム情報挿入部、  ３００：ＩＰ回線、  ３１０：本社送信装置、  ３３０：中継所送受信装置、  ３５０：放送所受信装置、  ３１６：リモコン装置、  ３３７：中継監視板、  ３５６：リモコン装置、  ４０１：ＳＴＸ発生部、  ４０２：メモリ、  ４０３：機種情報発生部、  ４０４：ＥＴＸ発生部、  ４０５：書込み制御部、  ４０６：切替制御部、  ５００：表示パネル、  ５０１〜５０５：ＬＥＤ、  ５０６：アンテナの表示、  ５０７：受信高周波部の表示、  ５０８：復調器の表示、  ５０９：変調器の表示、  ５０７−１、５０７−２：受信高周波部の点灯部、  ５０８−１、５０８−２：復調器の点灯部、  ５０９−１、５０９−２：変調器の点灯部。
【図１】
2011097503.tif 000003
【図２】
2011097503.tif 000004
【図３】
2011097503.tif 000005
【図４】
2011097503.tif 000006
【図５】
2011097503.tif 000007
【図６】
2011097503.tif 000008
【図７】
2011097503.tif 000009
【図８】
2011097503.tif 000010
【図９】
2011097503.tif 000011
【図１０】
2011097503.tif 000012
【図１１】
2011097503.tif 000013
【図１２】
2011097503.tif 000014
【図１３】
2011097503.tif 000015
【図１４】
2011097503.tif 000016
【図１５】
2011097503.tif 000017